(57)【要約】【課題】非接触充電装置において、利便性を向上させることにある。【解決手段】充電パッド４０ａ上に設置された携帯端末５０の制御を、ステアリングスイッチ１１の操作を通じて行うことができる。よって、ユーザは、充電パッド４０ａ上の携帯端末５０まで手を伸ばすことなく、携帯端末５０の操作を行うことができる。従って、利便性が向上する。【選択図】図１
2014033581.tif 000002
【特許請求の範囲】
【請求項１】
充電パッド上に設置された携帯端末を非接触で充電可能であって、かつ前記充電パッド上の前記携帯端末との間で無線での接続を確立する非接触充電装置において、
車載スイッチの操作に応じて、前記接続が確立した前記携帯端末を制御する非接触充電装置。
【請求項２】
請求項１に記載の非接触充電装置において、
前記車載スイッチはステアリングスイッチである非接触充電装置。
【請求項３】
請求項１又は２に記載の非接触充電装置において、
前記携帯端末は、自身の電池残量情報を無線で前記非接触充電装置に通知可能に構成され、
前記非接触充電装置は、定期的に前記充電パッドに単数又は複数の前記携帯端末が設置されたか否かを検知する存在検知、前記携帯端末への充電及び前記携帯端末との無線での接続確立の何れかを選択的に実行可能であって、前記存在検知を通じて複数の携帯端末の存在を検知したとき、前記各携帯端末のうち電池残量が最も多い携帯端末との間で接続を確立する非接触充電装置。
【請求項４】
請求項３に記載の非接触充電装置において、
前記非接触充電装置は、前記接続を確立した携帯端末以外の携帯端末に対して充電を行う非接触充電装置。
【請求項５】
請求項３又は４に記載の非接触充電装置において、
前記非接触充電装置は、過去に接続を確立した携帯端末が新旧順に並ぶ通信履歴に基づき、最近接続を確立した携帯端末から順に接続の確立を試みるとともに、前記存在検知を通じて複数の携帯端末の存在を検知したとき、前記複数の携帯端末からの前記電池残量情報に基づき、電池残量が多い順に前記通信履歴の新旧順を入れ替える非接触充電装置。
【発明の詳細な説明】
【技術分野】
【０００１】
この発明は、非接触で被充電装置を充電する非接触充電装置に関する。
【背景技術】
【０００２】
従来、充電装置から被充電装置へ非接触で送電を行うことで、被充電装置を充電する非接触充電システムが存在する（例えば、特許文献１参照）。具体的には、充電装置には１次コイルが設けられ、被充電装置には２次コイルが設けられる。充電装置の上面には、被充電装置が設置される充電パッドが形成される。１次コイルは、励磁されることで低周波数の電波（電磁波）を放出する。この電波により２次コイルに電力が誘起される。この電力が被充電装置に内蔵される電池に充電される。
【先行技術文献】
【特許文献】
【０００３】
【特許文献１】特開２００８−５５７３号公報
【発明の概要】
【発明が解決しようとする課題】
【０００４】
近年、被充電装置の一つである携帯端末の多機能化に伴って、車内においても携帯端末の充電を可能とするべく、上記充電装置を車内に設置することが検討されている。しかし、ユーザが運転中に充電パッドに設置した携帯端末を操作することは安全運転の観点から好ましくない。よって、携帯端末を操作する際には、ユーザは一度車両を停止させる必要があり、不便であった。また、車両が信号待ちに伴って停車している状況において、携帯端末を操作するときにも、ユーザは携帯端末まで手を伸ばして操作する必要があり、不便であった。
【０００５】
この発明は、こうした実情に鑑みてなされたものであり、その目的は、利便性を向上させた非接触充電装置を提供することにある。
【課題を解決するための手段】
【０００６】
以下、上記目的を達成するための手段及びその作用効果について説明する。
請求項１に記載の発明は、充電パッド上に設置された携帯端末を非接触で充電可能であって、かつ前記充電パッド上の前記携帯端末との間で無線での接続を確立する非接触充電装置において、車載スイッチの操作に応じて、前記接続が確立した前記携帯端末を制御することを要旨とする。
【０００７】
同構成によれば、充電パッド上に設置された携帯端末の制御を、車載スイッチを通じて行うことができる。よって、ユーザは、充電パッド上の携帯端末まで手を伸ばすことなく、携帯端末の操作を行うことができる。従って、利便性が向上する。
【０００８】
請求項２に記載の発明は、請求項１に記載の非接触充電装置において、前記車載スイッチはステアリングスイッチであることを要旨とする。
同構成によれば、ユーザはステアリングから手を離すことなく、充電パッド上の携帯端末を操作することができる。よって、より利便性が向上する。
【０００９】
請求項３に記載の発明は、請求項１又は２に記載の非接触充電装置において、前記携帯端末は、自身の電池残量情報を無線で前記非接触充電装置に通知可能に構成され、前記非接触充電装置は、定期的に前記充電パッドに単数又は複数の前記携帯端末が設置されたか否かを検知する存在検知、前記携帯端末への充電及び前記携帯端末との無線での接続確立の何れかを選択的に実行可能であって、前記存在検知を通じて複数の携帯端末の存在を検知したとき、前記各携帯端末のうち電池残量が最も多い携帯端末との間で接続を確立することを要旨とする。
【００１０】
同構成によれば、非接触充電装置は、複数の携帯端末の存在を検知したとき、各携帯端末のうち電池残量が最も多い携帯端末との間で接続を確立する。よって、車載スイッチの操作を通じた電池残量が最も多い携帯端末の制御が可能となる。このため、車載スイッチの操作を通じた携帯端末の制御が途中でできなくなることが抑制される。
【００１１】
請求項４に記載の発明は、請求項３に記載の非接触充電装置において、前記非接触充電装置は、前記接続を確立した携帯端末以外の携帯端末に対して充電を行うことを要旨とする。
【００１２】
同構成によれば、非接触充電装置は、接続を確立させた携帯端末以外の携帯端末に対して充電を行う。これにより、その携帯端末及び非接触充電装置間で接続が確立した後に電池残量がなくなることで接続が途絶することが抑制される。よって、車載スイッチを通じた携帯端末の操作が急にできなくなることが抑制される。
【００１３】
請求項５に記載の発明は、請求項３又は４に記載の非接触充電装置において、前記非接触充電装置は、過去に接続を確立した携帯端末が新旧順に並ぶ通信履歴に基づき、最近接続を確立した携帯端末から順に接続の確立を試みるとともに、前記存在検知を通じて複数の携帯端末の存在を検知したとき、前記複数の携帯端末からの前記電池残量情報に基づき、電池残量が多い順に前記通信履歴の新旧順を入れ替えることを要旨とする。
【００１４】
同構成によれば、存在検知を通じて複数の携帯端末の存在が検知されたとき、複数の携帯端末について電池残量が多い順に通信履歴の新旧順が並べ替えられる。例えば、前回に接続を確立した携帯端末と、前々回に接続を確立した携帯端末とが充電パッド上に設置された場合であっても、前々回に接続を確立した携帯端末が前回に接続を確立した携帯端末より電池残量が多ければ、通信履歴の新旧順が並べ替えられることで、前々回に接続を確立した携帯端末から順に接続の確立が試みられる。これにより、その携帯端末及び非接触充電装置間で接続が確立した後に電池残量がなくなることで接続が途絶することが抑制される。よって、車載スイッチを通じた携帯端末の操作が急にできなくなることが抑制される。
【発明の効果】
【００１５】
本発明によれば、非接触充電装置において、利便性を向上させることができる。
【図面の簡単な説明】
【００１６】
【図１】本発明の一実施形態における車両及び携帯端末の構成を示すブロック図。
【図２】本発明の一実施形態における携帯端末が設置された非接触充電装置を示す斜視図。
【図３】本発明の一実施形態における充電制御装置及び２つの携帯端末の処理手順を示すシーケンスチャート。
【発明を実施するための形態】
【００１７】
以下、本発明にかかる非接触充電装置を具体化した一実施形態について図１〜図３を参照して説明する。図１に示すように、非接触充電装置４０は、車両５に搭載されるものであって、ユーザに所持される携帯端末５０を非接触で充電可能に構成されている。
【００１８】
＜車両＞
図１に示すように、車両５は、非接触充電装置４０と、車載制御装置２１と、ステアリングスイッチ１１と、を備える。
【００１９】
ステアリングスイッチ１１は、ステアリングの表面に押し操作可能に設けられ、その押し操作がされると、操作信号を車載制御装置２１に出力する。車載制御装置２１は、操作信号を受けると、同様の操作信号を充電制御装置４１に出力する。
【００２０】
＜非接触充電装置及び携帯端末＞
図２に示すように、非接触充電装置４０の上面には、２つの携帯端末５０ａ，５０ｂを設置可能な面積を有する充電パッド４０ａが形成されている。この非接触充電装置４０は、充電パッド４０ａを露出させた状態で車室内に取り付けられる。ユーザは、携帯端末５０を充電パッド４０ａに置くだけで、その携帯端末５０の充電を行うことができる。
【００２１】
図１に示すように、非接触充電装置４０は、充電制御装置４１と、複数組の励磁回路４２及び１次コイルＬ１と、を備える。各１次コイルＬ１は、装置内部に充電パッド４０ａの全域に沿って設けられる。非接触充電装置４０に対しては、例えば車両のアクセサリー電源が供給される。
【００２２】
充電制御装置４１は、励磁回路４２を通じて１次コイルＬ１に交流電流を供給する。これにより、１次コイルＬ１は励磁されて、電波（電磁波）を放出する。充電制御装置４１は、１次コイルＬ１に供給される電流を監視する。
【００２３】
充電制御装置４１は不揮発性のメモリ４１ａを備える。このメモリ４１ａには、事前にペアリング作業がされた携帯端末５０のＩＤコードと、後述する通信履歴とが記憶されている。
【００２４】
また、携帯端末５０は、２次コイルＬ２と、携帯端末制御装置５１と、整流回路５２と、コンバータ５３と、バッテリ５４と、負荷変調回路５５と、携帯機能部５８とを備える。
【００２５】
携帯端末制御装置５１は不揮発性のメモリ５１ａを備え、そのメモリ５１ａには固有のＩＤコードが記憶されている。このＩＤコードが、ペアリング作業の際に、非接触充電装置４０のメモリ４１ａに記憶される。また、携帯端末制御装置５１は、バッテリ５４の電池電圧を監視し、その電池電圧に基づき電池残量を認識する。
【００２６】
携帯機能部５８は、ディスプレイ、タッチセンサ、通信部等からなる部分である。携帯端末制御装置５１は、携帯機能部５８を通じて、携帯端末５０の通信機能等を発揮する。
携帯端末５０が充電パッド４０ａに設置されると、２次コイルＬ２は何れかの１次コイルＬ１に対面する。２次コイルＬ２は、１次コイルＬ１からの電磁波により電流を誘起する（電磁誘導）。整流回路５２は、誘起された交流電流を直流電流に変換し、その変換した電流をコンバータ５３に出力する。コンバータ５３は、電力を降圧又は昇圧して、その電力をバッテリ５４に供給する。これにより、バッテリ５４が充電される。
【００２７】
充電制御装置４１は、充電パッド４０ａに携帯端末５０が設置されているか否かを判断する（存在検知）。具体的には、充電制御装置４１は、間欠的に、かつ順番に１次コイルＬ１に交流電流を供給することで１次コイルＬ１を励磁する。
【００２８】
このとき、充電パッド４０ａに携帯端末５０が設置されていれば、１次コイルＬ１が２次コイルＬ２に磁気結合するため、１次コイルＬ１の電流値が減少する。充電制御装置４１は、１次コイルＬ１の電流値が減少した旨判断したとき、充電パッド４０ａに携帯端末５０が設置されている旨判断する。
【００２９】
携帯端末５０から非接触充電装置４０への情報伝達は負荷変調を通じて行われる。詳しくは、負荷変調回路５５は、２次コイルＬ２に負荷（図示略）を接続した接続状態と、２次コイルＬ２に負荷を接続しない非接続状態との間で切り替えることで負荷変調を行う。
【００３０】
接続状態にあるとき、２次コイルＬ２と磁気結合する１次コイルＬ１からみたインピーダンスが非接続状態から変化する。従って、１次コイルＬ１に供給される電流が変化する。充電制御装置４１は、この電流の変化を通じて携帯端末制御装置５１からの情報を認識する。
【００３１】
携帯端末制御装置５１は、２次コイルＬ２及び整流回路５２を通じて接続要求信号Ｓｒｉｑを受けると、接続要求信号Ｓｒｉｑに含まれるＩＤコードと、自身のメモリ５１ａに記憶されるＩＤコードとの照合を行う。携帯端末制御装置５１は、このＩＤコードの照合が成立した旨判断すると、自身への接続が要求されているとして、自身のメモリ５１ａに記憶されるＩＤコードを含むＩＤ情報Ｉｄを、上記負荷変調を通じて充電制御装置４１に伝達する。
【００３２】
充電制御装置４１は、上記存在検知を通じて充電パッド４０ａに複数の携帯端末５０ａ，５０ｂが存在する旨判断すると、各携帯端末５０ａ，５０ｂに電池残量情報要求信号Ｓｒｂｔを送信する。各携帯端末５０ａ，５０ｂの携帯端末制御装置５１は２次コイルＬ２及び整流回路５２を通じて電池残量情報要求信号Ｓｒｂｔを認識すると、バッテリ５４の電池残量に係る電池残量情報Ｉｂｔを、上記負荷変調を通じて充電制御装置４１に伝達する。この電池残量情報Ｉｂｔには、メモリ４１ａに記憶されるＩＤコードが付加される。
【００３３】
充電制御装置４１は、電池残量情報Ｉｂｔに基づき各携帯端末５０ａ，５０ｂの電池残量を認識し、それら電池残量に基づき、メモリ４１ａに記憶される通信履歴における履歴番号の順番を並び替える。充電制御装置４１は、電池残量情報Ｉｂｔに付加されるＩＤコードに基づき、通信対象となる携帯端末を認識する。この通信履歴とは、図１の下側に拡大して示すように、過去に通信した携帯端末の履歴を表示するものである。本例では、履歴番号「１」が第１の携帯端末５０ａであって、履歴番号「２」が第２の携帯端末５０ｂである。この履歴番号は数が小さいほど新しい通信となる。この通信履歴により、直前に通信していた対象が第１の携帯端末５０ａであって、その前に通信していた対象が携帯端末５０ｂであることがわかる。
【００３４】
充電制御装置４１は、第２の携帯端末５０ｂの電池残量が第１の携帯端末５０ａの電池残量より多い場合には、履歴番号「１」及び「２」を並び替える。また、充電制御装置４１は、第１の携帯端末５０ａの電池残量が携帯端末５０ｂの電池残量より多い場合には、履歴番号「１」及び「２」を維持する。
【００３５】
そして、充電制御装置４１は、通信履歴を参照して、履歴番号「１」に対応する携帯端末５０ｂのＩＤコードを含む接続要求信号Ｓｒｉｑを送信する。充電制御装置４１は、上記負荷変調を通じて携帯端末５０（携帯端末制御装置５１）からＩＤ情報Ｉｄを受けると、そのＩＤ情報Ｉｄに含まれるＩＤコードと、メモリ４１ａに記憶されるＩＤコードとの間で照合を行う。充電制御装置４１は、ＩＤコードの照合が成立した旨判断すると、携帯端末５０との間で接続が確立した旨判断する。なお、充電制御装置４１は、上記接続要求信号Ｓｒｉｑに対してＩＤ情報Ｉｄが受信できないとき、履歴番号「２」に対応する携帯端末５０ｂのＩＤコードを含む接続要求信号Ｓｒｉｑを送信する。以下同様に、充電制御装置４１は、ＩＤ情報Ｉｄを受信できるまで、履歴番号「３」以降に対応する携帯端末５０ｂのＩＤコードを含む接続要求信号Ｓｒｉｑを送信していく。
【００３６】
充電制御装置４１は、上記接続が確立した携帯端末５０以外の履歴番号「２」の携帯端末５０ａに対して励磁回路４２及び１次コイルＬ１を通じて充電を行う。
上記接続が確立した状態で、車載制御装置２１は、ステアリングスイッチ１１が押し操作された旨判断すると、充電制御装置４１を通じて携帯端末制御装置５１に操作要求信号Ｓｃを送信する。携帯端末制御装置５１は、操作要求信号Ｓｃを受信すると、その操作要求信号Ｓｃに従って携帯機能部５８の制御を実行する。これにより、ユーザは、ステアリングスイッチ１１の操作を通じて、充電パッド４０ａ上に存在する携帯端末５０の操作を行うことができる。
【００３７】
なお、この接続が確立した状態においては１次コイルＬ１が通信に利用されるため、同一の１次コイルＬ１を通じて携帯端末５０を充電することはできない。
充電制御装置４１は、携帯端末５０を充電している際には、定期的に電池残量情報要求信号Ｓｒｂｔを送信する。充電制御装置４１は、携帯端末５０からの電池残量情報Ｉｂｔに基づき、充電中の携帯端末５０の充電状況を監視する。
【００３８】
また、充電制御装置４１は、存在検知を通じて１つの携帯端末５０が充電パッド４０ａに設置されている旨判断すると、上記同様に、電池残量情報要求信号Ｓｒｂｔ及びそれに対する電池残量情報Ｉｂｔに基づきその携帯端末５０の電池残量を認識する。充電制御装置４１は、この電池残量が閾値Ｔｈ１以下であるか否かを判断する。充電制御装置４１は、この電池残量が閾値Ｔｈ１以下である旨判断すると、その携帯端末５０への充電を開始する。また、充電制御装置４１は、この電池残量が閾値Ｔｈ１を超える旨判断すると、通信履歴の履歴番号「１」に対応する携帯端末５０のＩＤコードを含む接続要求信号Ｓｒｉｑを送信する。充電制御装置４１は、この接続要求信号Ｓｒｉｑに対してＩＤ情報Ｉｄの返信がない場合、通信履歴の履歴番号「２」に対応する携帯端末５０のＩＤコードを含む接続要求信号Ｓｒｉｑを送信する。
【００３９】
次に、充電制御装置４１、両携帯端末５０ａ，５０ｂ（正確にはそれらの携帯端末制御装置５１）の作用について説明する。
図３のシーケンスチャートに示すように、充電制御装置４１は、２つの携帯端末５０ａ，５０ｂの存在を検知すると（Ｓ１０１）、各携帯端末５０ａ，５０ｂに電池残量情報要求信号Ｓｒｂｔを送信する（Ｓ１０２）。各携帯端末５０ａ，５０ｂは、電池残量情報要求信号Ｓｒｂｔを受信すると、電池残量情報Ｉｂｔを充電制御装置４１に送信する（Ｓ１０３，Ｓ１０４）。
【００４０】
充電制御装置４１は、通信履歴の履歴番号を携帯端末５０ａ，５０ｂの電池残量が多い順に並び換える（Ｓ１０５）。本例では、第１の携帯端末５０ａの電池残量が第２の携帯端末５０ｂの電池残量より多いとする。この場合には、履歴番号「１」が第１の携帯端末５０ａ、履歴番号「２」が５０ｂとなるように並び替えられる、若しくはその状態が維持される。
【００４１】
そして、充電制御装置４１は、履歴番号「１」に対応する携帯端末５０ａのＩＤコードを含む接続要求信号Ｓｒｉｑを送信する（Ｓ１０６）。第１の携帯端末５０ａは、接続要求信号Ｓｒｉｑを受けると、ＩＤ情報Ｉｄを送信する（Ｓ１０７）。このとき、第２の携帯端末５０ｂは、この接続要求信号Ｓｒｉｑを受けても、ＩＤコードの照合が成立しないため、自身との接続を要求していないとしてＩＤ情報Ｉｄを送信しない。つぎに、充電制御装置４１は、上記接続を確立した携帯端末以外の履歴番号「２」の携帯端末５０ｂへの充電を開始する（Ｓ１０９）。
【００４２】
また、ステアリングスイッチ１１は、自身への押し操作に応じて操作信号を車載制御装置２１を介して充電制御装置４１に出力する（Ｓ１１０）。充電制御装置４１は、操作信号を受けると、第１の携帯端末５０ａに操作要求信号Ｓｃを送信する（Ｓ１１１）。第１の携帯端末５０ａは、操作要求信号Ｓｃを受信すると、その操作要求信号Ｓｃに従って制御を実行する（Ｓ１１２）。
【００４３】
充電制御装置４１は、充電中の携帯端末５０ｂに対して、定期的に電池残量情報要求信号Ｓｒｂｔを送信する。これにより、充電制御装置４１は、充電中の携帯端末５０の充電状況を監視する。そして、充電制御装置４１は、携帯端末５０ｂの電池残量が閾値以上となったと判断すると、履歴番号「２」以降の接続要求信号Ｓｒｉｑの送信を通じて接続を確立する。
【００４４】
以上、説明した実施形態によれば、以下の効果を奏することができる。
（１）充電パッド４０ａ上に設置された携帯端末５０の制御を、ステアリングスイッチ１１の操作を通じて行うことができる。よって、ユーザは、充電パッド４０ａ上の携帯端末５０まで手を伸ばすことなく、ステアリングを握った状態で携帯端末５０の操作を行うことができる。従って、より利便性が向上する。
【００４５】
（２）非接触充電装置４０は、複数の携帯端末５０の存在を検知したとき、各携帯端末５０のうち電池残量が最も多い携帯端末５０との間で接続を確立する。従って、電池残量の少ない携帯端末５０と非接触充電装置４０間との間で接続が確立した後に、その携帯端末５０の電池残量がなくなることで無線通信が途絶することが抑制される。よって、ステアリングスイッチ１１を通じた携帯端末５０の操作が途中でできなくなることが抑制される。
【００４６】
（３）非接触充電装置４０は、接続を確立させた携帯端末５０以外の携帯端末５０に対して充電を行う。これにより、その携帯端末５０及び非接触充電装置４０間で接続が確立した後に電池残量がなくなることで無線通信が途絶することが抑制される。よって、ステアリングスイッチ１１を通じた携帯端末５０の操作が途中でできなくなることが抑制される。
【００４７】
なお、上記実施形態は、これを適宜変更した以下の形態にて実施することができる。
・上記実施形態における通信履歴を省略してもよい。この場合であっても、充電制御装置４１は、複数の携帯端末５０が充電パッド４０ａに設置されたとき、電池残量が最も多い携帯端末５０との間で接続を確立する。
【００４８】
・上記実施形態において、充電制御装置４１は、携帯端末５０との間で接続を確立させるうえで最低限必要となる電池残量を閾値として設定してもよい。充電制御装置４１は、たとえ履歴番号「１」の携帯端末５０であっても、その携帯端末５０の電池残量が上記閾値以下である場合、電池残量が閾値を超えるまで充電を行う。
【００４９】
・上記実施形態において、充電制御装置４１は、複数の携帯端末５０との間で接続が確立した場合、何れの携帯端末５０をステアリングスイッチ１１の操作を通じて操作可能状態とするかを選択可能としてもよい。この選択は、非接触充電装置４０に設けられた新たなスイッチを通じて行われてもよいし、ステアリングスイッチ１１の操作を通じて行われてもよい。
【００５０】
・上記実施形態においては、充電パッド４０ａには、２つの携帯端末５０が設置可能なサイズに形成されていたが、３つ以上の携帯端末を設置可能に構成してもよい。この場合であっても、上記実施形態と同様に、各携帯端末の電池残量の多い方から順に通信履歴を並び換える。
【００５１】
・上記実施形態においては、充電パッド４０ａには複数の携帯端末５０が設置可能であったが、単一の携帯端末５０の設置可能に構成してもよい。この場合、図３のステップＳ１０５に示す通信履歴の並び替えが不要となる。例えば、充電制御装置４１は、携帯端末５０からの電池残量情報に基づき電池残量が閾値以上のときその携帯端末５０との間で接続を確立し、電池残量が閾値未満のときその携帯端末５０の充電を実行する。これにより、上記実施形態と同様に、携帯端末５０及び非接触充電装置４０間の接続状態が途絶することで、ステアリングスイッチ１１の操作を通じた充電パッド４０ａ上の携帯端末５０の操作が急に不可となることが抑制される。
【００５２】
・上記実施形態においては、ステアリングスイッチ１１の操作を通じて充電パッド４０ａ上の携帯端末５０の操作が可能に構成されていた。しかし、車載スイッチであればステアリングスイッチ１１に限らず、ダッシュボード又はコンソールボックスに設けられるスイッチであってもよい。また、例えば、ナビゲーション用のスイッチを利用して、充電パッド４０ａ上の携帯端末５０の操作が可能であってもよい。この場合であっても、充電パッド４０ａ上の携帯端末５０を直接に操作するよりも携帯端末５０の操作が容易である。
【００５３】
・上記実施形態において、図３のステップＳ１０６〜Ｓ１０８と、ステップＳ１０９との処理の順番を反対としてもよい。
・上記実施形態においては、非接触充電装置４０は電磁誘導型であったが、磁界共鳴型であってもよい。
【００５４】
次に、前記実施形態から把握できる技術的思想を記載する。
（イ）請求項４に記載の非接触充電装置において、前記非接触充電装置は、充電実行中の携帯端末の電池残量が、前記接続の途絶が生じない程度に設定される閾値以上となった旨判断したとき、その携帯端末との間で接続を確立する非接触充電装置。
【００５５】
同構成によれば、充電に伴って携帯端末の電池残量が閾値以上となったとき、その携帯端末との間で接続が確立される。これにより、その携帯端末及び非接触充電装置間で接続が確立した後に電池残量がなくなることで接続が途絶することが抑制される。よって、車載スイッチの操作を通じた携帯端末の制御が急にできなくなることが抑制される。
【００５６】
（ロ）請求項１に記載の非接触充電装置において、前記携帯端末は、自身の電池残量情報を、無線にて前記非接触充電装置に通知可能に構成され、前記非接触充電装置は、定期的に前記充電パッドに前記携帯端末が設置されたか否かを検知する存在検知、前記携帯端末への充電及び前記携帯端末との無線での接続確立の何れかを選択的に実行可能であって、前記存在検知を通じて前記携帯端末の存在を検知したとき、その携帯端末の電池残量が前記接続確立後の前記無線通信の途絶が生じない程度に設定される閾値以上のとき携帯端末との接続を確立し、前記閾値未満のときその携帯端末の充電を実行する非接触充電装置。
【００５７】
同構成によれば、非接触充電装置は、携帯端末の電池残量が接続の途絶が生じない程度にあるときのみ、その携帯端末との接続を確立する。これにより、その携帯端末及び非接触充電装置間で接続が確立した後に電池残量がなくなることで接続が途絶することが抑制される。よって、車載スイッチを通じた携帯端末の操作が急にできなくなることが抑制される。
【符号の説明】
【００５８】
Ｌ１…１次コイル、Ｌ２…２次コイル、５…車両、４０…非接触充電装置、４１…充電制御装置、４２…励磁回路、５０，５０ａ，５０ｂ…携帯端末、５１…携帯端末制御装置、５２…整流回路、５３…コンバータ、５４…バッテリ、５５…負荷変調回路、５８…携帯機能部。
【図１】
2014033581.tif 000003
【図２】
2014033581.tif 000004
【図３】
2014033581.tif 000005